(57)【要約】      （修正有）【課題】詰め替え用シャンプーやリンスを専用ボトル容器や他のボトル容器等に移し替えする時に、中身の液体を挿入口からこぼさず、手を汚さず手元を安定させて移し替えすることが出来る器具を提供する。【解決手段】詰め替え用シャンプー＆リンスの専用ボトル容器及びその他ボトル容器等を置く設置台Ａを設け、袋容器から詰め替えているときに動かない様に固定する為、ボトル容器固定帯ゴム受けポールＰを２本差し込み固定する。ポール差し込みリングＨを２個所に設け、ボトル容器等固定ゴム受けポールＰにシャンプー＆リンス専用ボトル容器やその他のボトル容器等を挟み込む。詰め替えが終了した後は、ボトル容器等挟み込み固定帯ゴムＸ２本を取り外し、ボトル容器等固定帯ゴム受けポールＰをポール差し込みリングＨから抜き取り分解できるのでコンパクトに収納することができる。【選択図】図５
2016040179.tif 000002
【特許請求の範囲】
【請求項１】
詰め替え用シャンプー＆リンスの専用ボトル容器及びその他ボトル容器等を置く、設置台（Ａ）にシャンプー＆リンス専用ボトル容器及びその他のボトル容器等を固定するボトル容器等固定帯ゴム受けポール（Ｐ）を２本差し込み固定する帯ゴム受けポール差し込みリング（Ｈ）を２個所に設け、ボトル容器等固定帯ゴム受けポール（Ｐ）にシャンプー＆リンス専用ボトル容器やその他のボトル容器等を挟み込む、ボトル容器等挟み込み固定帯ゴム（Ｘ）２本を設置し、詰め替え用シャンプー＆リンスの袋容器から中身の液体を移し替えするときに専用ボトル及びその他のボトル容器等を手元を安定させ、動かない様に固定する。シャンプー＆リンス専用ボトル容器及び、その他詰め替え用ボトル容器等固定台である。
【発明の詳細な説明】
【技術分野】
【０００１】この発明は詰め替え用シャンプー＆リンスの専用ボトル容器及び、その他ボトル容器等を置く、設置台（Ａ）を設け、その上にシャンプー＆リンスのボトル容器等を置いて、詰め替えているときに動かないように固定する為に、シャンプー＆リンス専用ボトル容器及びその他のボトル容器等を固定するボトル容器等挟み込み固定帯ゴム受けポール（Ｐ）を２本差し込み固定する、帯ゴム受けポール差し込みリング（Ｈ）を２個所に設け、ボトル容器等挟み込み固定帯ゴム受けポール（Ｐ）にシャンプー＆リンス専用ボトル容器やその他のボトル容器等を挟み込む、ボトル容器等挟み込み固定帯ゴム（Ｘ）２本を設置したことにより、シャンプーやリンスを移し替えている時に動かない様に手元を安定させ固定することが出来る。また、詰め替えが終了した後は、ボトル容器等挟み込み固定帯ゴム（Ｘ）２本を取り外し、ボトル容器等挟み込み固定帯ゴム受けポール（Ｐ）をポール差し込みリング（Ｈ）から抜き取り分解できるのでコンパクトに収納することができる。詰め替え用シャンプー＆リンス移し替え専用ボトル容器及びその他の詰め替え用ボトル容器固定台に関するものである。
【背景技術】
【０００２】従来は詰め替え用シャンプー＆リンスの袋容器から専用ボトル容器や他のボトル容器等にシャンプーやリンスの液体を移し替えするときは、両手で詰め替えるので手元はかなり不安定になり、詰め替え用のシャンプー＆リンスの袋容器からシャンプーやリンスの液体を移し替えるときはこぼれてしまい手を汚すこともある。さらにボトル容器等が動く為、手元が不安定になり挿入口からシャンプーやリンスの液体がこぼれてしまっていた。
【発明の開示】
【発明が解決しようとする課題】
【０００３】これは、次の欠点があった。従来は詰め替え用のシャンプーやリンスの袋容器から移し替えるときは専用ボトル容器やその他のボトル容器等は固定されてなく、移し替えているときに専用ボトル容器やその他のボトル容器等は手元が不安定な為動くことがあり、詰め替え用のシャンプー＆リンスの袋容器からシャンプーやリンスを移し替えるときは、シャンプーやリンスの液体がこぼれ出し手を汚すこともあり、さらに専用ボトル容器等が不安定で動く為、挿入口からシャンプーやリンスの液体がこぼれてしまっていた。本発明は以上のような欠点をなくす為になされたものである。
【課題を解決するための手段】
【０００４】詰め替え用シャンプー＆リンスの専用ボトル容器及び、その他ボトル容器等を置く、設置台（Ａ）を設け、詰め替え用のシャンプー＆リンスの袋容器から中身のシャンプーやリンスを専用ボトル容器及びその他ボトル容器等へ詰め替えているときに動かないように固定する為に、詰め替え用シャンプー＆リンス専用ボトル容器及びその他のボトル容器等を固定するボトル容器等挟み込み固定帯ゴム受けポール（Ｐ）を２本差し込み固定する帯ゴム受けポール差し込みリング（Ｈ）を２個所に設け、ボトル容器等挟み込み固定帯ゴム受けポール（Ｐ）にシャンプー＆リンス専用ボトル容器やその他のボトル容器等を挟み込む、ボトル容器等挟み込み固定帯ゴム（Ｘ）を２本設けることにより、詰め替え用の袋容器のシャンプー＆リンスを詰め替えるときに、専用ボトル容器及びその他のボトル容器等が動かない様に固定することが出来る。また、詰め替えが終了した後は、ボトル容器等挟み込み固定帯ゴム（Ｘ）を２本取り外し、ボトル容器等挟み込み固定帯ゴム受けポール（Ｐ）を帯ゴム受けポール差し込みリング（Ｈ）から抜き取り分解できるのでコンパクトに収納することができる。以上の構成からなる詰め替え用シャンプー＆リンス専用ボトル容器及び、その他ボトル容器固定台である。
【発明の効果】
【０００５】詰め替え用シャンプー＆リンスの袋容器から中身のシャンプーやリンスの液体を専用ボトル容器やその他のボトル容器等に移し替える時は、ボトル容器等を挟み込みするボトル容器等挟み込み固定帯ゴム（Ｘ）が上下で挟み込むので専用ボトル容器等が安定していて動かない、それにより詰め替え用シャンプー＆リンスの袋容器から中身のシャンプーやリンスの液体をボトル容器等に移し替える時は手元が安定していて、専用ボトル容器や他のボトル容器へシャンプーやリンスの液体をこぼさず移し替えることができる。また、詰め替えが終了した後は、ボトル容器等挟み込み固定帯ゴム（Ｘ）を２本取り外し、ボトル容器等挟み込み固定帯ゴム受けポール（Ｐ）を帯ゴム受けポール差し込みリング（Ｈ）から抜き取り分解できるのでコンパクトに収納することができる。従来、何も使わずシャンプーやリンスの液体を詰め替えすることを考えると固定されているのでボトル容器等が動かないで安定している。
【発明を実施する為の裁量の形態】
【００６】  以下、本発明を実施するための最良の形態を説明する。
詰め替え用シャンプー＆リンスの専用ボトル容器及びその他ボトル容器等を置く、設置台（Ａ）を設け、シャンプー＆リンスの容器等を固定するボトル容器等挟み込み固定帯ゴム受けポール（Ｐ）を２本差し込み固定する帯ゴム受けポール差し込みリング（Ｈ）を２個所に設け、ボトル容器等挟み込み固定帯ゴム受けポール（Ｐ）にシャンプー＆リンス専用ボトル容器やその他のボトル容器等を挟み込む、ボトル容器等挟み込み固定帯ゴム（Ｘ）を２本設けることにより、詰め替え用シャンプー＆リンスの袋容器から中身のシャンプーやリンスの液体を詰め替えるときに専用ボトル容器及びその他のボトル容器等が動かない様に固定することが出来る。これを使用するときはシャンプー＆リンスの専用ボトルや他のボトル容器を挟み込みするボトル容器等固定帯ゴム（Ｘ）に挟み込み、ボトル容器等を固定して安定させて、詰め替え用シャンプー＆リンスの袋容器から中身のシャンプーやリンスの液体を専用ボトル容器及びその他ボトル容器へ詰め替えすることが出来る。また、詰め替えが終了した後は、ボトル容器等挟み込み固定帯ゴム（Ｘ）を取り外し、ボトル容器等挟み込み固定帯ゴム受けポール（Ｐ）を帯ゴム受けポール差し込みリング（Ｈ）から抜き取り分解できるのでコンパクトに収納することができる。本発明は以上のような構成である。
【図面の簡単な説明】
【０００７】
【図１】  シャンプー＆リンス専用ボトル容器等固定台上平面図
【図２】  シャンプー＆リンス専用ボトル容器等固定台長辺方向立面図
【図３】  シャンプー＆リンス専用ボトル容器等固定台短辺方向立面図
【図４】  シャンプー＆リンスのボトル容器を設置した上平面図
【図５】  シャンプー＆リンスのボトル容器を設置した長辺方向立面図
【図６】  シャンプー＆リンスのボトル容器を設置した短辺方向立面図
【符号の説明】
【０００８】（Ａ）シャンプー＆リンス専用ボトル容器等設置台
（Ｈ）シャンプー＆リンス帯ゴム受けポール差し込みリング
（Ｐ）シャンプー＆リンスボトル容器等挟み込み固定帯ゴム受けポール
（Ｘ）シャンプー＆リンスボトル容器等挟み込み固定帯ゴム
【図１】
2016040179.tif 000003
【図２】
2016040179.tif 000004
【図３】
2016040179.tif 000005
【図４】
2016040179.tif 000006
【図５】
2016040179.tif 000007
【図６】
2016040179.tif 000008
【図７】
2016040179.tif 000009